(57)【要約】【課題】スノーボードにバインディングを取り付ける場合、押さえプレートを利用する方法が一般的である。押さえプレートとバインディングベースはスノーボード上に置いただけで重力で密着してしまい、押さえプレートを取り付けビスで仮止めした状態でバインディングベースを回転させる事ができず真に不便であった。【解決手段】押さえプレートの裏面にバネを設けておき、取り付けビスを締めない限り回転防止用の歯の高さ分より浮いた状態にする。バネは収縮時には押さえプレートの収納空間に収まるサイズである。操作方法は始め取り付けビスを軽く締めて押さえプレートの位置を決め、次にバインディングベースを回転させて角度を決定する。今までは押さえプレートは置いただけで重力で歯がかみ合った状態になってしまい回転させる事が出来なかったが本発明によりスノーボードのバインディングの回転位置設定が非常に楽に出来るようになった。【選択図】図１
2008011950.tif 000002
【特許請求の範囲】
【請求項１】
押さえプレート（１）のスノーボードに接する側である裏面（２）に、圧縮時に巻きバネ（３）が収納される空間であるバネ収納部（４）を設け、前記、バネ収納部（４）に巻きバネ（３）を取り付けた事を特徴とする押さえプレート。
【請求項２】
押さえプレート（１）のスノーボードに接する側である裏面（２）に複数のバネ収納部（４）と同数の巻きバネ（３）を取り付けた事を特徴とする特許請求項１に記載された押さえプレート。
【請求項３】
巻きバネ（３）の一端にバネカバー（５）を組み合わせ、固定ピン（６）で保持した事を特徴とした特許請求項１および２記載の押さえプレート。
【請求項４】
押さえプレート（１）のスノーボードに接する側である裏面（２）に、圧縮時に板バネ（７）が収納される空間であるバネ収納部（４´）を設け、前記バネ収納部（４´）に収まるべく、ピン（６）とネジ（６´）で板バネ（７）を取り付けた事を特徴とした押さえプレート。
【請求項５】
板バネ（７）の平坦面を拡大し、スノーボードに設けられたバインディング取り付けビス穴の、規定の数およびピッチにあわせた１組のビス穴を設け板バネ（８）を構成する。次に押さえプレート（１）のスノーボードに接する側である裏面（２）に、板バネ（８）が圧縮時に収納される空間であるバネ収納部（４´）を設け、前記バネ収納部（４´）に前記板バネ（８）が収まるように、ピン（６）とネジ（６´）で組み合わせ、しかる後、ピン（６）の貫通する押さえプレートの穴を、規定ピッチ長穴（１０）と平行なバネ固定ピン用長穴（１１）として、ピン（６）が板バネ(8)とともに平行移動する事を可能とした事を特徴とした特許請求項４記載の押さえプレート。
【発明の詳細な説明】
【技術分野】
【０００１】
本発明は、スノーボードのバインディングを固定する為の押さえプレートに関するものである。
【背景技術】
【０００２】
スノーボードにバインディングを取り付ける際には、使用する個人の好みに合わせて取り付け角度や幅を調節する必要がある。この調節は基本的にスノーボードの平面上での位置で二次元的なものであり、左右の足の距離関係と、足の向き加減で決められるが、
スノーボーダーにとっては滑走性能に影響する重要な要素である。
そのため、スノーボードバインディングは左右の距離と回転方向の位置を調節できるように構成されている。左右の距離関係は、スノーボードに一定のピッチで設けられた複数のネジ穴を自由に選択する事と、押さえプレートに設けられたビス止め用の長穴の位置選択で可能とし、次に回転方向の位置調節、すなわちそれぞれの足の回転角度の調節は歯車のようなかみ合わせ部を有する押さえプレートと、それにかみ合う構造の受け部をバインディング本体側に1対に構成された方式のものが標準的に用いられている。
スノーボードのバインディングは通常、ストラップとそれに付帯したバックルを利用して着脱する方式のものと、ブーツ自体に金属の爪を設け、スノーボードに取り付けた固定器具によってその金属爪を保持する方式のステップインのバインディングやスリップオン方式と呼んでいるバインディング自体を着脱して結果として、ブーツのスノーボードからの開放と固定を可能にした方式も見受けられるが、いずれにしろスノーボードに取り付けるビスで固定する部分としてのバインディング、またはステップインの受け具部分は押さえプレートを利用している事は共通である。
【０００３】
次に初めてスノーボードにバインディングをセットする場合を例に従来の問題点を説明する。先ずはじめに左右の足の幅を決めてスノーボード上に押さえプレートをはずしたバインディングを置いてみる。次に押さえプレートを乗せて、スノーボードにある取り付けビス穴に合うように位置を探しながらビスを軽く手で締めて仮止めする。次に押さえプレートに対しての回転位置を選択すべくバインディングを廻すのであるが、この場合、自由に回転位置を選べるのが理想であるが、押さえプレートは重力で下方に落ち込むため歯の部分がかみ合ってしまい、回転方向に調整しようとするたびに押さえプレート自体を手で持ち上げなければならないという不便さがあった。押さえプレートは手で掴める部分がなく非常に煩わしい作業であった。
【０００４】
押さえプレートには通常３−４本の取り付け用ビスを用いて締め付ける方法が一般的であるが、押さえプレートの下に隠れてしまうビス穴を探しながらビスを仮止めし、しかる後に、掴みどころの無い押さえプレートを歯の高さ分だけ持ち上げてバインディングを回転させることは初めての人には特に難しい作業であった。
【０００５】
これらの改善策としての先願特許は見受けられないが、スノーボードの押さえプレートに関した文献を参考として列記する。
【特許文献１】特許公開平１０−１６５５６０
【特許文献２】特許出願２００３−３２２２
【特許文献３】特許出願２００４−２５３７４４
【発明の開示】
【発明が解決しようとする課題】
【０００６】
解決しようとする問題点は、通常のバインディングまたはステップインバインディングの固定器具をスノーボードに取り付ける場合、バインディング取り付けビスを仮止めした状態で、押さえプレートの歯の部分が重力で自然に噛合ってしまい、全く回転できない状態になってしまう事である。
【課題を解決するための手段】
【０００７】
本発明は、バネを利用して、押さえプレート自体をスノーボードから浮き上がった状態に保ち、ビスを締め付けるまでは歯の部分が噛合わない様にした事を特徴とする。
【発明の効果】
【０００８】
本発明の押さえプレートにより、回転角度を調節する作業が非常にたやすく出来るようになった。また請求項５による実施例４の構成の場合、ビス穴を手探り状態で探す必要も大幅に少なくなった。
【発明を実施するための最良の形態】
【０００９】
利用する事が可能なバネは板バネや巻きバネが挙げられるが、巻きバネの場合、収縮時バネが収まる深さの収納部分を中心部に設けて、そこに巻きバネの一端を接着させて実現した。この例は最もコストが安くなる。
【実施例１】
【００１０】
図１は、本発明の一実施例の背面から見た斜視図であって、１は押さえプレート、２は押さえプレートの裏面、３は巻きバネ、４は巻きバネが収まる大きさのバネ収納部である。３の巻きバネの固定方法は接着剤を用いても、４のバネ収納部の上端をネジ状に構成し巻きバネの１巻き分をはめ込み固定しても良く、その他の数多くの方法から選択する事が可能である。
【００１１】
図２は、本発明の一実施例の断面図である。１〜４は、図１と同様である。
図３は、本発明の一実施例の正面図である。１は図１と同様である。
【００１２】
実施例１においてはバネ収納部と巻きバネは押さえプレートの中心部にそれぞれ１個設けているが、請求項２のように複数箇所に、例えば４個を対角線上に設けることも有効である。請求項２における各部品の構成は請求項１と全く同じなので図面は省略する。
【実施例２】
【００１３】
図４は、本発明の一実施例の断面図である。１〜４は図１と同様である、５はバネカバー、６はバネ固定ピンである。６のバネ固定ピンはボルトとナットの組み合わせでも、リベットでも良い事は当然であり、押さえプレートがプラスチックの場合、リベットのシャフト部が成型時に一体に成型されている事も考えられる。５のバネカバーが自由に摺動できかつ脱落しない構成であれば良い。５のバネカバーの中央部はバネの収縮時にリベットの頭またはボルトの頭の部分が収まるように凹ませる。すべての部品の高さ合計は３の巻きバネを収縮させた時に押さえプレートの厚さ以内に収まるべく構成する。
【実施例３】
【００１４】
図５は板バネの斜視図である。図６は板バネとバネ固定ピンの断面図である。図７は板バネの正面図である。この実施例３は、巻きバネの代わりに板バネを用いた方法であり、特に全体の厚さが薄くなる金属製の押さえプレートに有効である。７の板バネは１枚のバネ板から抜き加工されて作られる。６のバネ固定ピンは本実施例ではネジを切ったリベットをスタッド溶接して構成されているが、ボルトとナットを用いる事も当然可能である。また本実施例の場合、４´のバネ収納部は面積は広くなるが、深さは板バネの板圧より少し大きいだけで良い。また、押さえプレートの材質がアルミ合金など金属で構成された場合、４´のバネ収納部はプレス加工で生じる凹みに代用される。
【実施例４】
【００１５】
図８はビス穴つき板バネの正面図である。図９はビス穴つき板バネの斜視図である。図１０はビス穴つき板バネの断面図である。本実施例４は、巻きバネの代わりに板バネを用いた実施例３と同様に用いられる。８のビス穴つき板バネは１枚のバネ板から打ち抜き加工されて作られる。６のバネ固定ピンはネジを切ったリベットをスタッド溶接して構成されているが、はじめから１本のリベットを用いてカシメてもよく、またボルトとナットを用いる事など実施例３と同じである。
【００１６】
図１３はビス穴つき板バネを組み込んだ押さえプレートの背面側からの斜視図である。図１４はビス穴つき板バネを組み込んだ押さえプレートの正面図である。押さえプレートの真上から見た場合、本実施例では正方形の４つの頂点部に位置する４本１組の取り付けビスの適正位置に、ビス穴つき板バネのビス穴部分が見えるようになる。一箇所のビス穴が決まると、残りの穴は自動的に決まる事になり穴を探す手間が省けるようになる。
【００１７】
スノーボードに設けられているバインディング取り付け用のビスは４個を一セットにしたものと３個を一セットにしたものが主流であるが、何れの場合も１個のネジを探した後にもう１個を探す作業が大変なことが多かった。見えない場所であるうえに、２本目のビスは少しずれた隣の穴位置にも入ってしまう為であるが、正確に正方形の頂点位置を探す事は結構面倒なことであった。しかし本発明の実施例４の方法によればこの煩わしさから開放され、大変楽にビス止めすることが可能になった。
【産業上の利用可能性】
【００１８】
スノーボードはスキーと並ぶウインタースポーツとして定着したことは疑いの無い事実であり本発明は特にフリースタイルと呼ばれる柔らかいブーツを使用するところのスノーボードにおいて利用されるものである。
【図面の簡単な説明】
【００１９】
【図１】押さえプレートの実施例１を示した背面図である。
【図２】押さえプレートの実施例１を示した側面図である。
【図３】押さえプレートの実施例１を示した正面図である。
【図４】押さえプレートの実施例２を示した断面図である。
【図５】実施例３の板バネを示した斜視図である。
【図６】実施例３の板バネを示した断面図である。
【図７】実施例３の板バネを示した正面図である。
【図８】実施例４のビス穴つき板バネを示した正面図である。
【図９】実施例４のビス穴つき板バネを示した斜視図である。
【図１０】実施例４のビス穴つき板バネを示した断面図である。
【図１１】板バネによる実施例３の背面図である。
【図１２】板バネによる実施例３の正面図である。
【図１３】ビス穴つき板バネによる実施例４の背面図である。
【図１４】ビス穴つき板バネによる実施例４の正面図である。
【符号の説明】
【００２０】
１      押さえプレート
２      押さえプレート裏面
３      巻きバネ
４      バネ収納部
４´    バネ収納部
５      バネカバー
６      バネ固定ピン
６´    ネジ
７      板バネ
８      ビス穴つき板バネ
９      ビス穴
１０    規定ピッチ長穴
１１    バネ固定ピン用長穴
【図１】
2008011950.tif 000003
【図２】
2008011950.tif 000004
【図３】
2008011950.tif 000005
【図４】
2008011950.tif 000006
【図５】
2008011950.tif 000007
【図６】
2008011950.tif 000008
【図７】
2008011950.tif 000009
【図８】
2008011950.tif 000010
【図９】
2008011950.tif 000011
【図１０】
2008011950.tif 000012
【図１１】
2008011950.tif 000013
【図１２】
2008011950.tif 000014
【図１３】
2008011950.tif 000015
【図１４】
2008011950.tif 000016